(57)【要約】【課題】広告用のパンフレットや団扇を入れて置く機能だけでなく、必要に応じて、飲み物の容器（缶、カップ、瓶）を置くことができる機能も備えた、汎用性のある車内サービス器具を提供する。【解決手段】ヘッドレストなどの車内装備に対して吊り下げるフック部を備えた車内サービス器具であって、前記フック部を折曲げることによって形状記憶できる帯状金属部材と、該帯状金属部材の下部を頂部に固定した合成樹脂製の器具本体と、全体として長方形の空間を構成するように金属線でループ状に成形されると共に、その空間の左右の中央で、互いに対向する両端部が、前記器具本体の中央に設けた左右に開口する枢支孔に嵌脱可能に挿入された支持フレームと、前記器具本体の下部に対して前後に折畳み可能に枢支され、中央に貫通孔を形成したカップ受けとから構成される。【選択図】図１
2005119621.tif 000002
【特許請求の範囲】
【請求項１】
ヘッドレストなどの車内装備に対して吊り下げるフック部を備えた車内サービス器具であって、
前記フック部を折曲げることによって形状記憶できる帯状金属部材と、
該帯状金属部材の下部を頂部に固定した合成樹脂製の器具本体と、
全体として長方形の空間を構成するように金属線でループ状に成形されると共に、その空間の左右の中央で、互いに対向する両端部が、前記器具本体の中央に設けた左右に開口する枢支孔に嵌脱可能に挿入された支持フレームと、
前記器具本体の下部に対して前後に折畳み可能に枢支され、中央に貫通孔を形成したカップ受けとから構成され、
前記器具本体は、前記支持フレームの両端部に形成した係合部に対して、前記金属線の弾性によって係合されて、前記支持フレームを水平位置と垂直位置とに選択的に係止する第１の係止部と、前記カップ受けの枢支部に対して、弾性的に係合されて、前記カップ受けを水平位置と中間位置とに選択的に係止する第２の係止部とを具備していることを特徴とする、車内サービス器具。
【請求項２】
前記支持フレームの係合部は、前記器具本体の枢支孔に挿入された両端部の基部に向けて前記金属線のループの外側に突出形成されており、前記第１の係止部は、前記枢支孔の近傍で、前記器具本体の左右側面に形成した、それぞれ、２個の突起で構成されていることを特徴とする、請求項１に記載の車内サービス器具。
【請求項３】
前記器具本体は、前記カップ受けの枢支部を受け入れる枢支孔を左右側面に形成したリブを中央に形成しており、このリブの中央には、縦にスリットが形成してあって、リブの幅方向に可撓性を与えていることを特徴とする、請求項１または２に記載の車内サービス器具。
【請求項４】
前記カップ受けには、その両側に受け溝が形成されていることを特徴とする請求項１ないし３の何れかに記載の車内サービス器具。
【発明の詳細な説明】
【技術分野】
【０００１】
本発明は、主として、タクシーなどの車内、特に、後部座席に搭乗した者へのサービス提供のための車内サービス器具に関するものである。
【背景技術】
【０００２】
本発明者は、かって、前部座席の背当て部分の背面に、後部座席の者が利用できる、主として、広告宣伝を兼ねた、タクシー内広告器具を提唱している。ここでは、前部座席のヘッドレストにフック部を係止することで、後部座席前に箱形の器具本体を吊り下げ、ここに広告用のパンフレットや団扇などを入れて、これを利用できるように工夫している。
【０００３】
しかし、この広告器具は、タクシーは勿論、自家用車などで、後部座席の者が利用するための、缶入りあるいはカップ入りの飲み物を置くなどの汎用性には欠けている。
【特許文献１】登録実用新案第３０７４３６０号公報
【発明の開示】
【発明が解決しようとする課題】
【０００４】
本発明は、広告用のパンフレットや団扇を入れて置く機能だけでなく、必要に応じて、飲み物の容器（缶、カップ、瓶）を置くことができる機能も備えた、汎用性のある車内サービス器具を提供することを目的としている。
【課題を解決するための手段】
【０００５】
請求項１に記載された、本発明は、ヘッドレストなどの車内装備に対して吊り下げるフック部を備えた車内サービス器具であって、前記フック部を折曲げによって形状記憶できる帯状金属部材と、該帯状金属部材の下部を頂部に固定した合成樹脂製の器具本体と、全体として長方形の空間を構成するように金属線でループ状に成形されると共に、その空間の左右の中央で、互いに対向する両端部が、前記器具本体の中央に設けた左右に開口する枢支孔に嵌脱可能に挿入された支持フレームと、前記器具本体の下部に対して前後に折畳み可能に枢支され、中央に貫通孔を形成したカップ受けとから構成される。
【０００６】
そして、前記器具本体は、前記支持フレームの両端部に形成した係合部に対して、前記金属線の弾性によって係合されて、前記支持フレームを水平位置と中間位置とに選択的に係止する第１の係止部と、前記カップ受けの枢支部に対して、弾性的に係合されて、前記カップ受けを水平位置と垂直位置とに選択的に係止する第２の係止部とを具備していることを特徴とする。
【０００７】
また、請求項２に記載された、本発明は、前記支持フレームの係合部が、前記器具本体の枢支孔に挿入された両端部の基部に向けて前記金属線のループの外側に突出形成されており、前記第１の係止部は、前記枢支孔の近傍で、前記器具本体の左右側面に形成した、それぞれ、２個の突起で構成されていることを特徴とする。
【０００８】
更に、請求項３に記載された、本発明は、前記器具本体が、前記カップ受けの枢支部を受け入れる枢支孔を左右側面に形成したリブを中央に形成しており、このリブの中央には、縦にスリットが形成してあって、リブの幅方向に可撓性を与えていることを特徴とする。なお、請求項４には、本発明において、前記カップ受けの両側に受け溝が形成されていることも特徴となっている。
【発明の効果】
【０００９】
本発明は、このような構成であるから、前記支持フレームを水平位置に係止した状態で、前記支持フレームで形成された長方形の空間を通して、前記カップ受けの上に、パンフレットを立て掛けると、前記支持フレームがパンフレットの倒れを防止できる。この場合、前記カップ受けの両側に受け溝が形成されていることで、ここにパンフレットの下縁部を受け入れることができ、これによって、パンフレットの前・後の倒れを防ぐことができる。また、広告用の団扇をカップ受けに立て掛ける場合は、その団扇の柄の部分が前記貫通孔に挿通されるので、団扇も、前記支持フレームで安全・確実に支持して置くことができる。しかも、前記支持フレームを垂直位置に係止すれば、前記カップ受けの上の空間が開放されるので、飲み物の缶、カップ、瓶などを前記カップ受けの上に置くことができる。更に、カップ受けも必要なければ、垂直位置に係止して置けるので、このサービス器具を装備することにより、後部座席の使用空間を狭めることもないので、昇降の際の邪魔にならないなどのメリットが得られる。
【発明を実施するための最良の形態】
【００１０】
以下、本発明を、図示の実施の形態において、具体的に説明する。なお、本発明の車内サービス器具の基本的な構成は、以下の通りである。
【実施例】
【００１１】
即ち、本発明の社内サービス器具は、ヘッドレストＨなどの車内装備に対して吊り下げるフック部を備えたものであって、前記フック部を折曲げによって形状記憶できる帯状金属部材１と、帯状金属部材１の下部を頂部に固定した合成樹脂製の器具本体２と、全体として長方形の空間を構成するように金属線でループ状に成形されると共に、その空間の左右の中央で、互いに対向する両端部３Ａ、３Ａが、器具本体２の中央の隆起した部分２Ｃに設けた左右に開口する枢支孔２Ａ、２Ａに嵌脱可能に挿入された支持フレーム３と、器具本体２の下部に対して前後に折畳み可能に枢支され、中央に貫通孔４Ａを形成したカップ受け４とから構成される。
【００１２】
そして、器具本体２は、支持フレーム３の両端部に形成した係合部３Ｂ、３Ｂに対して、前記金属線の弾性によって係合されて、支持フレーム３を水平位置と中間位置とに選択的に係止する第１の係止部２Ｂと、カップ受け４の枢支部４Ｂ（この実施例では、枢支孔）に対して、弾性的に係合されて、カップ受け４を水平位置と垂直位置（この実施例では、垂直上向きの位置）とに選択的に係止する第２の係止部４Ｃ、４Ｄとを具備している。
【００１３】
また、この実施例では、支持フレーム３の係合部３Ｂ、３Ｂが、器具本体２の枢支孔２Ａ、２Ａに挿入された両端部３Ａ、３Ａの基部に向けて金属線のループの外側に突出形成されており、第１の係止部２Ｂは、枢支孔２Ａ、２Ａの近傍で、器具本体の隆起部分２Ｃの左右側面に形成した、それぞれ、２個の突起で構成されている。
【００１４】
更に、この実施例では、器具本体２が、カップ受け４の枢支部４Ｂを受け入れる枢支ピン２Ｄを左右側面に形成したリブ２Ｅを中央に形成しており、このリブ２Ｅの中央には、縦にスリット２Ｆが形成してあって、リブの幅方向に可撓性を与えており、これによって、枢支部４Ｂを中心にカップ受け４を回動した際に、これを枢支状態に保持でき、抜け止めの働きをしている。そして、回動により、第２の係止部４Ｃを器具本体２の下端部に係止することで、水平を保持し、また、第２の係止部４Ｄを器具本体２の隆起部分２Ｃの下端に弾性的に係止することで、垂直上向きに保持することができる。なお、この実施例では、カップ受け４には、その両側に受け溝４Ｅ、４Ｅが形成されている。
【００１５】
このような構成であるから、図３に示すように、支持フレーム３を水平位置あるいは中間位置に係止した状態で、支持フレーム３で形成された長方形の空間を通して、カップ受け４の上に、適当数のパンフレットＰを立て掛けると、支持フレーム３がパンフレットＰの倒れを防止できる。特に、パンフレットＰの下縁部を受け溝４Ｅ、４Ｅに入れることで、自動車の変速（発進・制動）時の前後の倒れを防止することができる。また、図４に示すように、広告用の団扇Ｕをカップ受け４に立て掛ける場合は、その団扇Ｕの柄の部分が貫通孔４Ａに挿通されるので、団扇Ｕも、支持フレーム３で安全・確実に支持して置くことができる。しかも、図５に示すように、支持フレーム３を垂直位置（この実施例では、垂直下向きの位置）に係止すれば、カップ受け４の上の空間が開放されるので、飲み物の缶、カップ、瓶などの容器Ｃをカップ受け４の上に置くことができる。更に、カップ受け４も必要なければ、図６に示すように、垂直位置（垂直上向きの位置）に係止して置けるので、このサービス器具を装備することにより、後部座席の使用空間を狭めることもないので、昇降の際の邪魔にならない。
【産業上の利用可能性】
【００１６】
本発明の車内サービス器具は、タクシーなどの顧客の利用に供するだけでなく、自家用車の後部座席に搭乗する者へのサービスなどにも活用できる。
【図面の簡単な説明】
【００１７】
【図１】本発明に係る車内サービス器具の実施の形態を示す（ａ）は正面図、（ｂ）は側面図、（ｃ）は平面図である。
【図２】同じく、（ａ）は分解した正面図、（ｂ）は分解した平面図である。
【図３】同じく、第１の使用態様を示す（ａ）は正面図、（ｂ）は側面図である。
【図４】同じく、第２の使用態様を示す（ａ）は正面図、（ｂ）は側面図である。
【図５】同じく、第３の使用態様を示す（ａ）は正面図、（ｂ）は側面図である。
【図６】同じく、不使用状態を示す（ａ）は正面図、（ｂ）は側面図である。
【符号の説明】
【００１８】
１    帯状金属部材
２    器具本体
２Ａ    枢支孔
２Ｂ    第１の係止部
２Ｃ    隆起した部分
２Ｄ    枢支ピン
２Ｅ    リブ
２Ｆ    スリット
３    支持フレーム
３Ａ    端部
３Ｂ    係合部
４    カップ受け
４Ａ    貫通孔
４Ｂ    枢支部
４Ｃ、４Ｄ    第２の係止部
４Ｅ    受け溝
Ｈ    ヘッドレスト
Ｕ    団扇
Ｐ    パンフレット
Ｃ    容器
【図１】
2005119621.tif 000003
【図２】
2005119621.tif 000004
【図３】
2005119621.tif 000005
【図４】
2005119621.tif 000006
【図５】
2005119621.tif 000007
【図６】
2005119621.tif 000008